(57)【要約】【課題】電力を有効に活用することが可能な電力供給システムを提供する。【解決手段】電力を充放電可能な充放電モードと、電力を充放電不能な停止状態と、を実行可能な複数の蓄電池２２・３２・４２と、複数の蓄電池２２・３２・４２を、充放電モード又は停止状態に切り替えるＥＭＳ５０と、を具備し、ＥＭＳ５０は、各住宅Ｈの消費電力を含む電力情報を予測し、当該予測結果に応じて複数の蓄電池２２・３２・４２が充放電モードを実行した場合における、当該複数の蓄電池２２・３２・４２の動作をシミュレーションし、当該シミュレーション結果に基づいて、蓄電池２２・３２・４２を停止状態に切り替える。【選択図】図５
2020108235.tif 000002
【特許請求の範囲】
【請求項１】
負荷と接続される複数の蓄電池と、
前記複数の蓄電池を、充放電を行っている状態と待機電力を用いて充放電の待機を行っている状態とを含む稼動状態、又は、充放電を行っておらず、かつ待機電力を用いず充放電の待機を行っていない停止状態に切り替える切替手段と、
を具備し、
前記切替手段は、
前記負荷の消費電力を含む電力情報を予測し、当該予測結果に応じて前記複数の蓄電池を前記稼動状態に切り替えた場合における、当該複数の蓄電池の動作をシミュレーションし、当該シミュレーション結果に基づいて、前記蓄電池を前記停止状態に切り替える、
電力供給システム。
【請求項２】
前記切替手段は、
所定期間を複数の時間帯に分けて前記電力情報の予測及び前記複数の蓄電池の動作のシミュレーションを行い、当該シミュレーション結果に基づいて前記蓄電池の状態を切り替える第一切替処理を行う、
請求項１に記載の電力供給システム。
【請求項３】
前記切替手段は、
前記第一切替処理において、前記シミュレーション結果から放電しないと判断した前記蓄電池を前記停止状態に切り替える、
請求項２に記載の電力供給システム。
【請求項４】
前記切替手段は、
前記所定期間に測定された前記電力情報の実測値を用いて、現在の時刻を基準とした次の時間帯における前記電力情報の予測及び前記複数の蓄電池の動作のシミュレーションを行い、当該シミュレーション結果に基づいて前記蓄電池の状態を切り替える第二切替処理をさらに行う、
請求項２又は請求項３に記載の電力供給システム。
【請求項５】
前記切替手段は、
前記第二切替処理において、前記シミュレーション結果から放電しないと判断した前記蓄電池の台数よりも少ない台数の前記蓄電池を、前記停止状態に切り替える、
請求項４に記載の電力供給システム。
【請求項６】
前記切替手段は、
前記蓄電池が満充電になってから、当該蓄電池を前記停止状態に切り替える、
請求項１から請求項５までのいずれか一項に記載の電力供給システム。
【請求項７】
自然エネルギーを利用して発電可能な発電部をさらに具備し、
前記電力情報には、
前記発電部の発電電力が含まれる、
請求項１から請求項６までのいずれか一項に記載の電力供給システム。
【発明の詳細な説明】
【技術分野】
【０００１】
本発明は、複数の蓄電池を具備する電力供給システムの技術に関する。
【背景技術】
【０００２】
従来、複数の蓄電池を具備する電力供給システムの技術は公知となっている。例えば、特許文献１に記載の如くである。
【０００３】
特許文献１に記載の蓄電システム（電力供給システム）は、電力配線を介して複数の蓄電池と複数の住宅とが接続されている。このような蓄電システムによれば、各蓄電池からの電力を、特定の一つの住宅にだけ供給するのではなく、前記複数の住宅間で必要に応じて融通し合うことができる。すなわち、前記蓄電システムにおいては、各蓄電池の放電機会を増加させ、ひいては当該各蓄電池の放電電力量を増加させ易くすることができる。
【０００４】
しかし、特許文献１に記載の蓄電システムにおいては、複数の住宅全体の消費電力が少ない場合に、一部の蓄電池が長時間放電しない場合がある。この場合、放電しない蓄電池は、長時間待機電力を消費してしまう。例えば、待機電力量が４０Ｗｈである蓄電池が１日放電しない場合、当該蓄電池は、９６０Ｗｈもの待機電力量を消費してしまう（無駄にしてしまう）。このように、特許文献１に記載の蓄電システムは、待機電力が増大し、電力を有効に活用できない可能性があった。
【先行技術文献】
【特許文献】
【０００５】
【特許文献１】特開２０１７−２２９１９号公報
【発明の概要】
【発明が解決しようとする課題】
【０００６】
本発明は、以上の如き状況を鑑みてなされたものであり、その解決しようとする課題は、電力を有効に活用することが可能な電力供給システムを提供するものである。
【課題を解決するための手段】
【０００７】
本発明の解決しようとする課題は以上の如くであり、次にこの課題を解決するための手段を説明する。
【０００８】
即ち、請求項１においては、負荷と接続される複数の蓄電池と、前記複数の蓄電池を、充放電を行っている状態と待機電力を用いて充放電の待機を行っている状態とを含む稼動状態、又は、充放電を行っておらず、かつ待機電力を用いず充放電の待機を行っていない停止状態に切り替える切替手段と、を具備し、前記切替手段は、前記負荷の消費電力を含む電力情報を予測し、当該予測結果に応じて前記複数の蓄電池を前記稼動状態に切り替えた場合における、当該複数の蓄電池の動作をシミュレーションし、当該シミュレーション結果に基づいて、前記蓄電池を前記停止状態に切り替えるものである。
【０００９】
請求項２においては、前記切替手段は、所定期間を複数の時間帯に分けて前記電力情報の予測及び前記複数の蓄電池の動作のシミュレーションを行い、当該シミュレーション結果に基づいて前記蓄電池の状態を切り替える第一切替処理を行うものである。
【００１０】
請求項３においては、前記切替手段は、前記第一切替処理において、前記シミュレーション結果から放電しないと判断した前記蓄電池を前記停止状態に切り替えるものである。
【００１１】
請求項４においては、前記切替手段は、前記所定期間に測定された前記電力情報の実測値を用いて、現在の時刻を基準とした次の時間帯における前記電力情報の予測及び前記複数の蓄電池の動作のシミュレーションを行い、当該シミュレーション結果に基づいて前記蓄電池の状態を切り替える第二切替処理をさらに行うものである。
【００１２】
請求項５においては、前記切替手段は、前記第二切替処理において、前記シミュレーション結果から放電しないと判断した前記蓄電池の台数よりも少ない台数の前記蓄電池を、前記停止状態に切り替えるものである。
【００１３】
請求項６においては、前記切替手段は、前記蓄電池が満充電になってから、当該蓄電池を前記停止状態に切り替えるものである。
【００１４】
請求項７においては、自然エネルギーを利用して発電可能な発電部をさらに具備し、前記電力情報には、前記発電部の発電電力が含まれるものである。
【発明の効果】
【００１５】
本発明の効果として、以下に示すような効果を奏する。
【００１６】
請求項１においては、電力を有効に活用することができる。
【００１７】
請求項２においては、シミュレーションを細かく行うことができる。
【００１８】
請求項３においては、待機電力を効果的に抑制することができる。
【００１９】
請求項４においては、電力をより有効に活用することができる。
【００２０】
請求項５においては、負荷の急変に対応することができる。
【００２１】
請求項６においては、放電を行う際に十分な量の電力を確保することができる。
【００２２】
請求項７においては、発電部を具備する構成において、電力を有効に活用することができる。
【図面の簡単な説明】
【００２３】
【図１】第一実施形態に係る電力供給システムを示したブロック図。
【図２】第一実施形態に係る第一切替処理を示したフローチャート。
【図３】第一実施形態に係る第一切替処理を実行した場合の０時から１１時までの時間帯の電力の供給態様の一例を示す図。
【図４】第一実施形態に係る第一切替処理を実行した場合の１２時から２３時までの時間帯の電力の供給態様の一例を示す図。
【図５】第三蓄電システムの蓄電池が停止状態となっている電力供給システムを示すブロック図。
【図６】第二切替処理を示したフローチャート。
【図７】第二実施形態に係る第一切替処理を示したフローチャート。
【図８】第二実施形態に係る第一切替処理を実行した場合の０時から１１時までの時間帯の電力の供給態様の一例を示す図。
【図９】第二実施形態に係る第一切替処理を実行した場合の１２時から２３時までの時間帯の電力の供給態様の一例を示す図。
【発明を実施するための形態】
【００２４】
以下では、図１を用いて、第一実施形態に係る電力供給システム１について説明する。
【００２５】
電力供給システム１は、複数の戸建住宅（住宅Ｈ）からなる住宅街区Ｔ（住宅Ｈの集合体）に適用することを想定している。具体的には、住宅街区Ｔには、複数の（戸建）住宅Ｈとして、第一住宅Ｈ１、第二住宅Ｈ２及び第三住宅Ｈ３が設けられる。住宅街区Ｔにおいては、電力小売事業者が電力会社（系統電源Ｓ）から電力を一括購入し、当該購入した電力が各住宅Ｈに適宜供給（売却）される。
【００２６】
電力供給システム１は、電力小売事業者が電力会社から一括購入した電力等を、複数の住宅Ｈ（第一住宅Ｈ１、第二住宅Ｈ２及び第三住宅Ｈ３）間で適宜供給（融通）するためのシステムである。電力供給システム１は、主としてセンサ部１０、第一蓄電システム２０、第二蓄電システム３０、第三蓄電システム４０及びＥＭＳ５０を具備する。
【００２７】
複数の住宅Ｈ（第一住宅Ｈ１、第二住宅Ｈ２及び第三住宅Ｈ３）は、人が居住する建物である。各住宅Ｈには適宜の電気製品が設けられ、電力が消費される。
【００２８】
また、各住宅Ｈは、配電線Ｌを介して系統電源Ｓと接続される。具体的には、配電線Ｌの上流側端部は系統電源Ｓと接続され、配電線Ｌの下流側端部は分岐してそれぞれで各住宅Ｈと接続される。
【００２９】
センサ部１０は、配電線Ｌを流通する電力を検出するものである。センサ部１０は、第一センサ１１、第二センサ１２及び第三センサ１３を具備する。
【００３０】
第一センサ１１、第二センサ１２及び第三センサ１３は、それぞれ配置箇所を流通する電力を検出するものである。第一センサ１１、第二センサ１２及び第三センサ１３は、それぞれ検出結果に関する信号を出力可能に構成される。第一センサ１１、第二センサ１２及び第三センサ１３は、それぞれ所定の蓄電システムと対応するように設けられ、当該対応する蓄電システムのハイブリッドパワコンと電気的に接続される。
【００３１】
具体的には、第一センサ１１は、後述する第一蓄電システム２０のハイブリッドパワコン２３と電気的に接続される。また、第二センサ１２は、後述する第二蓄電システム３０のハイブリッドパワコン３３と電気的に接続される。また、第三センサ１３は、後述する第三蓄電システム４０のハイブリッドパワコン４３と電気的に接続される。
【００３２】
また、第一センサ１１、第二センサ１２及び第三センサ１３は、それぞれ配電線Ｌにおいて、前記対応する蓄電システムのハイブリッドパワコンが接続された連結点の直ぐ上流側に配置される。具体的には、第一センサ１１、第二センサ１２及び第三センサ１３は、それぞれ配電線Ｌにおいて、後述する第一連結点Ｐ１、第二連結点Ｐ２及び第三連結点Ｐ３の直ぐ上流側に配置される。
【００３３】
第一蓄電システム２０、第二蓄電システム３０及び第三蓄電システム４０は、それぞれ配電線Ｌに接続される。より詳細には、第一蓄電システム２０、第二蓄電システム３０及び第三蓄電システム４０は、配電線Ｌにおいて、各住宅Ｈ側から系統電源Ｓ側にかけて順に接続され、これにより系統電源Ｓと各住宅Ｈとの間に直列に配置される。第一蓄電システム２０、第二蓄電システム３０及び第三蓄電システム４０は、それぞれ第一住宅Ｈ１、第二住宅Ｈ２及び第三住宅Ｈ３の居住者に所有されている。具体的には、第一蓄電システム２０は、第一住宅Ｈ１に設けられ、第一住宅Ｈ１の住人に所有されている。また、第二蓄電システム３０は、第二住宅Ｈ２に設けられ、第二住宅Ｈ２の住人に所有されている。また、第三蓄電システム４０は、第三住宅Ｈ３に設けられ、第三住宅Ｈ３の住人に所有されている。
【００３４】
第一蓄電システム２０は、系統電源Ｓから購入した電力や太陽光を利用して発電された電力を蓄電したり、各住宅Ｈ等へと供給したりするものである。第一蓄電システム２０は、太陽光発電部２１、蓄電池２２及びハイブリッドパワコン２３を具備する。
【００３５】
太陽光発電部２１は、太陽光を利用して発電する装置である。太陽光発電部２１は、太陽電池パネル等により構成される。太陽光発電部２１は、例えば、住宅の屋根の上等の日当たりの良い場所に設置される。太陽光発電部２１は、後述するハイブリッドパワコン２３を介して、配電線Ｌの中途部に設けられた第一連結点Ｐ１で当該配電線Ｌと接続される。
【００３６】
蓄電池２２は、電力を充放電可能に構成されるものである。蓄電池２２は、例えば、リチウムイオン電池により構成される。蓄電池２２は、後述するハイブリッドパワコン２３を介して太陽光発電部２１と接続される。また、蓄電池２２は、後述するハイブリッドパワコン２３を介して、配電線Ｌの中途部に設けられた第一連結点Ｐ１で当該配電線Ｌと接続される。蓄電池２２は、図示せぬＤＣブレーカを有し、当該ＤＣブレーカがオンにされることで稼動（起動）する。また、蓄電池２２は、ＤＣブレーカがオフにされることで稼動を停止する。なお、本実施形態において、蓄電池２２の最大容量は、６．２ｋＷｈとなっている。
【００３７】
ハイブリッドパワコン２３は、電力を適宜変換するもの（ハイブリッドパワーコンディショナ）である。ハイブリッドパワコン２３は、太陽光発電部２１で発電された電力及び系統電源Ｓからの電力を蓄電池２２に充電可能に構成される。また、ハイブリッドパワコン２３は、太陽光発電部２１で発電された電力及び蓄電池２２に充電されている電力を各住宅Ｈ等へと放電可能に構成される。また、ハイブリッドパワコン２３は、太陽光発電部２１及び蓄電池２２の運転状態に関する情報を取得可能に構成される。ハイブリッドパワコン２３は、第一連結点Ｐ１で配電線Ｌの中途部と接続される。
【００３８】
また、ハイブリッドパワコン２３は、対応するセンサ（第一センサ１１）から所定の信号が入力され、当該信号に基づいてセンサの検出結果を取得可能に構成される。ハイブリッドパワコン２３は、取得したセンサの検出結果に基づいて蓄電池２２の蓄電や放電を行う負荷追従運転を行うことができる。
【００３９】
第二蓄電システム３０は、ハイブリッドパワコン３３が第一連結点Ｐ１よりも系統電源Ｓ側に設けられた第二連結点Ｐ２で配電線Ｌに接続される点を除いて、第一蓄電システム２０と同様に構成される。具体的には、第二蓄電システム３０の太陽光発電部３１、蓄電池３２及びハイブリッドパワコン３３は、それぞれ第一蓄電システム２０の太陽光発電部２１、蓄電池２２及びハイブリッドパワコン２３に相当する。
【００４０】
第三蓄電システム４０は、ハイブリッドパワコン４３が第二連結点Ｐ２よりも系統電源Ｓ側に設けられた第三連結点Ｐ３で配電線Ｌに接続される点を除いて、第一蓄電システム２０と同様に構成される。具体的には、第三蓄電システム４０の太陽光発電部４１、蓄電池４２及びハイブリッドパワコン４３は、それぞれ第一蓄電システム２０の太陽光発電部２１、蓄電池２２及びハイブリッドパワコン２３に相当する。
【００４１】
ＥＭＳ５０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ５０は、ＣＰＵ等の演算処理部、ＲＡＭやＲＯＭ等の記憶部及びタッチパネル等の入出力部等を具備し、所定の演算処理や記憶処理等を行うことができる。ＥＭＳ５０には、電力供給システム１の動作を制御する際に用いられる種々の情報やプログラム等が予め記憶される。
【００４２】
また、ＥＭＳ５０は、各ハイブリッドパワコン２３・３３・４３と電気的に接続される。ＥＭＳ５０は、所定の信号を各ハイブリッドパワコン２３・３３・４３に出力することで、当該ハイブリッドパワコン２３・３３・４３を介して各蓄電池２２・３２・４２の動作を制御することができる。また、ＥＭＳ５０は、所定の信号を各ハイブリッドパワコン２３・３３・４３に出力することで、各蓄電池２２・３２・４２の電源（ＤＣブレーカ）のオンとオフとを切り替えることができる。また、ＥＭＳ５０は、各ハイブリッドパワコン２３・３３・４３から所定の信号が入力可能に構成される。これにより、ＥＭＳ５０は、各ハイブリッドパワコン２３・３３・４３を介して各太陽光発電部２１・３１・４１の発電量及び各蓄電池２２・３２・４２の残量を検出することができる。
【００４３】
また、ＥＭＳ５０は、各住宅Ｈと電気的に接続される。ＥＭＳ５０は、各住宅Ｈから所定の信号が入力可能に構成される。これにより、ＥＭＳ５０は、各住宅Ｈの消費電力量を取得することができる。
【００４４】
また、ＥＭＳ５０は、各蓄電池２２・３２・４２にそれぞれ放電優先順位を設定する制御を実行可能とされている。本実施形態において、放電優先順位とは、各蓄電システム２０・３０・４０の中での蓄電池２２・３２・４２の放電の優先順位である。ＥＭＳ５０は、例えば、前日までの積算放電量等に基づいて、放電優先順位を設定する。より詳細には、ＥＭＳ５０は、前日までの積算放電量が少ない順に、蓄電池２２・３２・４２の放電優先順位が高くなるように設定する。
【００４５】
次に、上述の如く構成された電力供給システム１における、電力小売事業者による電力の売買の様子について簡単に説明する。
【００４６】
電力小売事業者は、電力会社（系統電源Ｓ）から一括購入した電力を、各住宅Ｈからの要求に応じて当該各住宅Ｈへと適宜売却する。各住宅Ｈの住人は、電力小売事業者を介して電力会社から購入した電力を使用することができる。また、電力小売事業者は、各蓄電システム２０・３０・４０からの電力を購入し、当該電力を各住宅Ｈからの要求に応じて当該各住宅Ｈへと適宜売却する。電力小売事業者が売買する電力の価格は適宜設定される。
【００４７】
このように、電力小売事業者は、電力の売買によって利益を得ることができる。また、各住宅Ｈの住人も、各蓄電システム２０・３０・４０の電力（すなわち、余剰電力）を電力小売事業者に売却することで利益を得ることができる。
【００４８】
次に、上述の如く構成された電力供給システム１において、各蓄電池２２・３２・４２及び各住宅Ｈへ電力を供給する流れについて、簡単に説明する。
【００４９】
系統電源Ｓや、各太陽光発電部２１・３１・４１からの電力は、配電線Ｌを介して各住宅Ｈへ供給される。こうして、各住宅Ｈの居住者は、系統電源Ｓや各太陽光発電部２１・３１・４１からの電力を用いて照明を点灯させたり、調理器具やエアコンを使用したりすることができる。このように、各住宅Ｈへ各太陽光発電部２１・３１・４１からの電力を供給すれば、系統電源Ｓからの買電量を減少させ、電力料金を節約することができる。
【００５０】
また、系統電源Ｓや、各太陽光発電部２１・３１・４１からの電力は、適宜の時間帯に各蓄電池２２・３２・４２に充電することができる。各蓄電池２２・３２・４２が充電される時間（充電時間）は、居住者の任意に設定することができる。例えば、充電時間を深夜電力の時間帯（例えば２３時から６時までの時間帯）に設定すれば、料金の安い深夜電力を各蓄電池２２・３２・４２に充電することができる。また、充電時間を昼間の時間帯に設定すれば、各太陽光発電部２１・３１・４１からの電力を各蓄電池２２・３２・４２に充電することができる。
【００５１】
第一実施形態においては、充電時間（充電が開始される時間）が深夜電力の時間帯である０時に設定されている。また、各蓄電池２２・３２・４２は、深夜電力の時間帯以外の時間帯（７時から２２時までの時間帯）に、各住宅Ｈの消費電力に応じて適宜放電するように設定されている。
【００５２】
各蓄電池２２・３２・４２からの電力は、配電線Ｌを介して各住宅Ｈに供給される。こうして、各蓄電池２２・３２・４２からの電力は、当該各蓄電池２２・３２・４２を所有する住人（住宅Ｈ）だけでなく、その他の住人（住宅Ｈ）へも供給される。すなわち、各住宅Ｈをまとめて一つの負荷として各蓄電池２２・３２・４２からの電力を供給し、当該各蓄電池２２・３２・４２からの電力を複数の住宅Ｈ間で融通することができる。
【００５３】
これによれば、電力を融通しない（１つの蓄電池が１つの住宅へのみ電力を供給する）場合と比較して、各蓄電池２２・３２・４２を放電させ易くすることができる。例えば、蓄電池２２を第一住宅Ｈ１へのみ供給する場合、第一住宅Ｈ１の消費電力が少ないと、蓄電池２２の放電電力が少なくなってしまう。これに対して、電力を融通する場合、第一住宅Ｈ１の消費電力が少なくても、それ以外の住宅Ｈ２・Ｈ３の消費電力が多ければ、住宅Ｈ全体としての消費電力が多くなり、当該消費電力を賄うために、蓄電池２２の放電電力を増やすことができる。また、一の住宅Ｈの蓄電池が放電可能な状態であるにもかかわらず、他の住宅が系統電源Ｓから電力を購入するのを抑制できるため、蓄電池に充電させた電力（例えば太陽光発電部の発電電力等の、自然エネルギーを利用した発電電力）を有効に活用することができる。
【００５４】
また、ＥＭＳ５０は、放電優先順位に基づいて各蓄電池２２・３２・４２を放電させる。具体的には、ＥＭＳ５０は、各住宅Ｈの消費電力を太陽光発電部２１・３１・４１からの電力だけで賄えない場合に、放電優先順位が１位の蓄電池を放電させる。当該蓄電池は、負荷追従運転による放電を行う。具体的には、当該蓄電池は、対応するセンサ部１０の検出結果（下流側へと流れる電力）に応じた放電を行う。さらに、ＥＭＳ５０は、各住宅Ｈの消費電力を、当該蓄電池から放電した電力及び太陽光発電部２１・３１・４１からの電力で賄えない場合に、放電優先順位が２位の蓄電システムの蓄電池を放電させる。当該蓄電池は、負荷追従運転による放電を行う。具体的には、当該蓄電池は、対応するセンサ部１０の検出結果（下流側へと流れる電力）に応じた放電を行う。
【００５５】
このように、ＥＭＳ５０は、各住宅Ｈの消費電力が賄えない場合に、放電が開始された蓄電池よりも放電優先順位が１つ下位の蓄電池を放電させるという動作を、繰り返し行う。こうして、ＥＭＳ５０は、放電優先順位が上位の蓄電池を下位の蓄電池よりも優先的に放電させる。これによって、各蓄電池２２・３２・４２の積算放電量の均等化を図ることができる。
【００５６】
また、ＥＭＳ５０は、停電が発生した場合を考慮して、各蓄電池２２・３２・４２の残量を所定量確保するようにしている。具体的には、ＥＭＳ５０は、通常時（非停電時）において、各蓄電池２２・３２・４２の残量が所定の閾値（本実施形態においては最大容量（６．２ｋＷｈ）の３０％）以下となった場合、各蓄電池２２・３２・４２を放電させないようにする。前述の如く、各蓄電池２２・３２・４２は、最大容量が６．２ｋＷｈであるため、通常時における最大放電量（満充電から放電しなくなるまでの放電量）は、最大容量（６．２ｋＷｈ）の７０％、すなわち４．３４ｋＷｈとなる。
【００５７】
また、ＥＭＳ５０は、各太陽光発電部２１・３１・４１及び各蓄電池２２・３２・４２からの電力を各住宅Ｈへ供給する場合に、系統電源Ｓからも少量の電力（本実施形態では２００Ｗ）を各住宅Ｈへ供給するようにしている。これによって、各太陽光発電部２１・３１・４１の発電電力や各住宅Ｈの消費電力が若干増減した場合に、各蓄電池２２・３２・４２が放電した状態で、電力が系統電源Ｓへ逆潮流されないようにしている。
【００５８】
次に、各蓄電池２２・３２・４２の動作（充放電）について説明する。
【００５９】
各蓄電池２２・３２・４２は、充放電に関する複数の動作モードを実行可能に構成される。動作モードには、充電モード、放電モード及び待機モードが含まれる。
【００６０】
充電モードは、各蓄電池２２・３２・４２が充電を行うためのモードである。すなわち、充電モードが実行されると、各蓄電池２２・３２・４２は充電を行う。
【００６１】
放電モードは、各蓄電池２２・３２・４２が放電を行うためのモードである。すなわち、放電モードが実行されると、各蓄電池２２・３２・４２は放電を行う。
【００６２】
待機モードは、充電モード又は放電モードへと速やかに切り替えられるように待機するモードである。待機モードが実行されると、各蓄電池２２・３２・４２は、稼動しているものの充放電は行わず、待機電力を使用して充放電に備えて待機する。待機モードが実行されると、待機電力を使用するため、各蓄電池２２・３２・４２の残量が減少することになる。例えば本実施形態において、前記待機電力量は４０Ｗｈとなっている。
【００６３】
ＥＭＳ５０は、各ハイブリッドパワコン２３・３３・４３に信号を送信することで、このような動作モードの切替を行うことができる。すなわち、ＥＭＳ５０は、各蓄電池２２・３２・４２に対して、充電モード、放電モード及び待機モードを任意に実行させることができる。また、ＥＭＳ５０は、各蓄電池２２・３２・４２に対して、それぞれ対応するセンサ部１０の検出結果に応じてモードを切り替えて実行するように指示することもできる。
【００６４】
また、ＥＭＳ５０は、前述の如く、各蓄電池２２・３２・４２の電源（ＤＣブレーカ）のオンとオフとを切り替えることができる。各蓄電池２２・３２・４２は、電源がオンにされることで稼動して、動作モードを実行することができる。以下では、このような電源がオンにされた状態（動作モードを実行可能な状態）を「稼動状態」と称する。すなわち、本実施形態において「稼動状態」には、充電モード又は放電モードを実行している状態と、待機電力を用いて待機を行っている待機モードを実行している状態と、を含んでいる。
【００６５】
また、各蓄電池２２・３２・４２は、ＥＭＳ５０により電源がオフにされることで稼動（起動）が停止される。当該各蓄電池２２・３２・４２は、充放電不能となり、待機電力を使用せずに完全に停止した状態となる。以下では、このような状態を「停止状態」と称する。すなわち、本実施形態において「停止状態」とは、充電モード、放電モード及び待機モードのいずれのモードも実行していない、完全停止した状態を指すものである。各蓄電池２２・３２・４２は、停止状態となると、再び電源（ＤＣブレーカ）がオンにされなければ、充放電を行えない。
【００６６】
以下では、動作モードと時間帯との関係について説明する。
【００６７】
本実施形態においては、各住宅Ｈの消費電力に対して、深夜電力の時間帯（２３時から６時までの時間帯）においては、料金が安いため、系統電源Ｓからの電力が供給される。すなわち、深夜電力の時間帯においては、ＥＭＳ５０は、各蓄電池２２・３２・４２に対して、上述の如き充電モードを実行している場合を除くと、待機モードを実行するように指示を行う。こうして、各蓄電池２２・３２・４２は、放電モードを実行せず、充電モードが実行されている場合を除くと、待機モードを実行する。
【００６８】
また、深夜電力の時間帯以外の時間帯（７時から２２時までの時間帯、以下、「昼間時間帯」と称する）において、ＥＭＳ５０は、各蓄電池２２・３２・４２に対して、それぞれ対応するセンサ部１０の検出結果に応じてモードを切り替えて実行するように指示を行う。こうして、例えば昼間時間帯において、各蓄電池２２・３２・４２は、各住宅Ｈの消費電力に対して各太陽光発電部２１・３１・４１からの電力が不足する場合に、放電モードを実行する。また、各蓄電池２２・３２・４２は、各住宅Ｈの消費電力に対して各太陽光発電部２１・３１・４１からの電力や他の蓄電池からの電力によって賄える場合に、待機モードを実行する。
【００６９】
以上の如く構成された電力供給システム１においては、各住宅Ｈの消費電力が少ない場合や各太陽光発電部２１・３１・４１の発電電力が消費電力に対して余剰する場合等において、各蓄電池２２・３２・４２が長時間動作（放電）しない場合がある。例えば、ある１日において、各住宅Ｈの消費電力が少ないと、各蓄電池２２・３２・４２のうち、放電優先順位が第１位の蓄電池のみが放電し、他の蓄電池（放電優先順位が第２位及び第３位の蓄電池）が一切放電しない場合がある。
【００７０】
仮に、放電しない蓄電池が１日中待機モードを実行すると、当該蓄電池は、待機電力を１日中消費し続けることとなる。前述の如く、待機電力量は４０Ｗｈであるため、放電しない蓄電池は、１日中待機することで、９６０Ｗｈもの電力量を無駄にしてしまう。これによって、放電しない蓄電池は、通常時における最大放電量（４．３４ｋＷｈ）の、約４分の１もの電力量を失うことになってしまう。
【００７１】
そこで、第一実施形態に係る電力供給システム１は、図２に示す第一切替処理及び後述する第二切替処理により、各蓄電池２２・３２・４２の稼動状態と停止状態とを適宜切り替えることで、各蓄電池２２・３２・４２の待機電力を抑制するようにしている。
【００７２】
以下では、図２を用いて、第一切替処理について説明する。
【００７３】
第一切替処理は、各蓄電池２２・３２・４２の予測される今後の動作に応じて、当該蓄電池２２・３２・４２を適宜停止状態に切り替えるための処理である。第一切替処理は、決まったタイミングで（例えば、当日の２４時になると）行われる。
【００７４】
まず、ステップＳ１１０において、ＥＭＳ５０は、全ての蓄電池２２・３２・４２の電源をオンにする。これにより、ＥＭＳ５０は、過去に実行された第一切替処理や後述する第二切替処理により、停止状態となっていた蓄電池２２・３２・４２を起動させる。ＥＭＳ５０は、ステップＳ１１０の処理が終了すると、ステップＳ１２０へ移行する。
【００７５】
ステップＳ１２０において、ＥＭＳ５０は、住宅街区Ｔ全体の翌日（１日）の消費電力量（より詳細には、各住宅Ｈの消費電力量の合計）及び発電量を予測する。このとき、ＥＭＳ５０は、翌日の各住宅Ｈの消費電力量（消費電力量の合計）及び各太陽光発電部２１・３１・４１の発電量（発電量の合計）を、１時間毎に予測する。ＥＭＳ５０は、各住宅Ｈから過去の１時間毎の消費電力量を取得し、当該取得結果等に基づいて翌日の消費電力量を予測する。また、ＥＭＳ５０は、ハイブリッドパワコン２３・３３・４３を介して過去の太陽光発電部２１・３１・４１の１時間毎の発電量を取得し、当該取得結果等に基づいて翌日の発電量を予測する。ＥＭＳ５０は、ステップＳ１２０の処理が終了すると、ステップＳ１３０へ移行する。
【００７６】
ステップＳ１３０において、ＥＭＳ５０は、各蓄電池２２・３２・４２の翌日（１日）の運転動作をシミュレーションする。このとき、ＥＭＳ５０は、ステップＳ１２０で予測した消費電力量及び発電量に基づいて、各蓄電池２２・３２・４２の運転動作を、１時間毎にシミュレーションする。このとき、ＥＭＳ５０は、各蓄電池２２・３２・４２が稼動状態であるものとして、シミュレーションを行う。こうして、ＥＭＳ５０は、ステップＳ１３０の処理が終了すると、ステップＳ１４０へ移行する。
【００７７】
ステップＳ１４０において、ＥＭＳ５０は、ステップＳ１３０でシミュレーションした結果、全ての蓄電池２２・３２・４２が翌日に動作（放電）するのかを確認する。ＥＭＳ５０は、全ての蓄電池２２・３２・４２が翌日に放電すると判断した場合（ステップＳ１４０：ＹＥＳ）、第一切替処理を終了する。一方、ＥＭＳ５０は、各蓄電池２２・３２・４２のうち、少なくとも１台の蓄電池が放電しないと判断した場合（ステップＳ１４０：ＮＯ）、ステップＳ１５０へ移行する。
【００７８】
ステップＳ１５０において、ＥＭＳ５０は、放電しないと判断した台数の蓄電池を停止状態とする。例えば、放電しないと判断した台数が１台であれば、ＥＭＳ５０は、蓄電池２２・３２・４２のうち、１台の蓄電池を停止状態とする。ＥＭＳ５０は、停止状態とする蓄電池として、放電優先順位が下位の蓄電池を順番に選択する。なお、本実施形態においては、ＥＭＳ５０は、選択した蓄電池が充電を行って満充電になった後に、当該蓄電池を停止状態とする。ＥＭＳ５０は、ステップＳ１５０の処理が終了すると、第一切替処理を終了する。
【００７９】
以下では、図３及び図４を用いて、第一実施形態に係る第一切替処理において、停止状態とする蓄電池として、放電優先順位が第３位であった蓄電池４２が選択された場合の電力の供給態様の一例について説明する。
【００８０】
なお、図３及び図４において、消費電力量とは、系統電源Ｓから各蓄電池２２・３２・４２に充電された電力量と、第一住宅Ｈ１、第二住宅Ｈ２及び第三住宅Ｈ３へと供給された合計の電力量との、合計の電力量を指している。また、蓄電池２２・３２・４２の電力量は、「０時」から「２時」までの時間帯においては充電量を指し、その他の時間帯においては放電量を指している。
【００８１】
なお以下では、各蓄電池２２・３２・４２が当日の２４時の時点（第一切替処理の実行時）において、放電しきった状態（残量が最大容量の３０％程度）となっているものとする。
【００８２】
まずＥＭＳ５０により各蓄電池２２・３２・４２の電源がオンにされた後（図２のステップＳ１１０参照）、図３に示すように「０時」から「２時」までの時間帯において各蓄電池２２・３２・４２の充電が行われる。そして、蓄電池２２・３２・４２のうち、蓄電池４２は、満充電となると、停止状態に切り替えられる。
【００８３】
なお、「０時」から「６時」の時間帯までは、深夜電力の時間帯であり、かつ消費電力量が発電量を上回っているため、系統電源Ｓからの電力が各住宅Ｈへ供給される。
【００８４】
また、「７時」から「１６時」までの時間帯において、発電量が消費電力量を上回っている。この場合、消費電力の全ては発電電力で賄われる。
【００８５】
また、「１７時」から「２２時」までの時間帯において、発電量が消費電力量を下回っている。この場合、消費電力に対して発電電力で不足する分は、蓄電池からの電力で賄われる。なお、図４に示す一例においては、予測されたシミュレーション結果のとおりであり、消費電力に対して発電電力で不足する分は、２台の蓄電池（蓄電池２２・３２）からの電力で賄われている。すなわち、消費電力に対して、残りの１台の蓄電池４２が放電する機会はない。
【００８６】
また、「２３時」の時間帯においては、深夜電力の時間帯であり、かつ消費電力量が発電量を上回っているため、系統電源Ｓからの電力が各住宅Ｈへ供給される。
【００８７】
このような構成によれば、ＥＭＳ５０は、各蓄電池２２・３２・４２のうち、放電しないと判断した蓄電池４２を、「２時」の時間帯に停止状態にすることができる。なお、図５においては、停止状態となった蓄電池（蓄電池４２）を点線で示している。蓄電池４２を停止状態にすることにより、蓄電池４２が待機電力を消費するのを防止することができる。また、稼動状態の蓄電池２２・３２により、翌日の各住宅Ｈの消費電力を賄うことができる。
【００８８】
このように、ＥＭＳ５０は、放電しないと判断した蓄電池４２を停止状態にすることで、各住宅Ｈの消費電力を賄うのに必要な蓄電池（蓄電池２２・３２）のみを稼働させることができる。これによって、翌日に稼動状態にする蓄電池２２・３２・４２の台数を最適な台数にして、各住宅Ｈの消費電力を賄いながらも、待機電力を減らすことができる。これにより、電力を有効に活用することができる。
【００８９】
次に、図６を用いて、第二切替処理について説明する。
【００９０】
第二切替処理は、第一切替処理で予測した時間帯（「０時」から「２３時」までの時間帯）における、各住宅Ｈの消費電力量及び発電量の実測値を用いて、各蓄電池２２・３２・４２の動作モードを適宜切り替えるための処理である。第二切替処理は、毎時０分に（１時間毎に）実行される。
【００９１】
まず、ステップＳ２１０において、ＥＭＳ５０は、住宅街区Ｔ全体の１時間後の消費電力量及び発電量を予測する。このとき、ＥＭＳ５０は、第二切替処理が実行される直前までの１時間毎の消費電力量を各住宅Ｈから取得し、当該取得結果に基づいて１時間後（次の時間帯）の消費電力量を予測する。例えば、ＥＭＳ５０は、１０時に第二切替処理が実行された場合、「１０時」の時間帯までの消費電力量を取得して、１時間後（「１１時」の時間帯）の消費電力量を予測する。
【００９２】
また、ステップＳ２１０において、ＥＭＳ５０は、第二切替処理が実行される直前までの１時間毎の発電量を各太陽光発電部２１・３１・４１から取得し、当該取得結果に基づいて１時間後の発電量を予測する。ＥＭＳ５０は、ステップＳ２１０の処理が終了すると、ステップＳ２２０へ移行する。
【００９３】
ステップＳ２２０において、ＥＭＳ５０は、放電する蓄電池２２・３２・４２の台数が現在の稼動状態の台数よりも増加するか否かを確認する。このとき、ＥＭＳ５０は、ステップＳ２１０で予測した１時間後の消費電力量及び発電量に基づいて、１時間後の各蓄電池２２・３２・４２の動作をシミュレーションする。
【００９４】
そして、ステップＳ２２０において、ＥＭＳ５０は、シミュレーションの結果に基づいて、今後１時間の間に動作（放電）する蓄電池の台数を算出する。その後、ＥＭＳ５０は、今後１時間の間に動作する台数と、現在（第二切替処理の実行時に）稼動している台数と、を比較して、増加する蓄電池の台数を算出する。例えば、今後１時間の間に放電する台数が「３台」であり、現在稼動している台数が「２台」である場合、ＥＭＳ５０は、増加する台数が「１台」であると判断する。ＥＭＳ５０は、増加する台数が「１台」以上である場合（ステップＳ２２０：ＹＥＳ）、ステップＳ２３０へ移行する。一方、ＥＭＳ５０は、増加する台数が「０台」である場合（ステップＳ２２０：ＮＯ）、ステップＳ２４０へ移行する。
【００９５】
ステップＳ２３０において、ＥＭＳ５０は、停止状態となっている蓄電池を稼動状態に切り替える。具体的には、ＥＭＳ５０は、ステップＳ２２０で判断した、増加する台数だけ、停止状態となっている蓄電池を稼動させる（電源をオンにする）。このとき、ＥＭＳ５０は、放電優先順位及び蓄電池２２・３２・４２の残量に基づいて、どの蓄電池を稼動させるのかを決定する。
【００９６】
具体的には、ステップＳ２３０において、ＥＭＳ５０は、停止状態となっている蓄電池のうち、放電可能な（残量が所定の閾値以上の）蓄電池を抽出する。そして、ＥＭＳ５０は、抽出した蓄電池の中で放電優先順位が高い蓄電池を稼動させる。ＥＭＳ５０は、ステップＳ２３０の処理が終了すると、第二切替処理を終了する。
【００９７】
ステップＳ２４０において、ＥＭＳ５０は、稼動する蓄電池の台数が減少するか否かを確認する。このとき、ＥＭＳ５０は、例えば、ステップＳ２２０で算出した今後１時間の間に動作する台数と、現在稼動している台数と、を比較して、減少する蓄電池の台数を算出する。例えば、今後１時間の間に動作する台数が「１」台であり、現在稼動している台数が「３台」である場合、ＥＭＳ５０は、減少する台数が「２台」であると判断する。ＥＭＳ５０は、減少する台数が「１台」以上である場合（ステップＳ２４０：ＹＥＳ）、ステップＳ２５０へ移行する。一方、ＥＭＳ５０は、減少する台数が「０台」である場合（ステップＳ２４０：ＮＯ）、第二切替処理を終了する。
【００９８】
ステップＳ２５０において、ＥＭＳ５０は、停止させる蓄電池の台数Ａを算出する。このとき、ＥＭＳ５０は、ステップＳ２４０で算出した、減少する台数から１を引くことで、停止させる蓄電池の台数Ａを算出する。例えば、ＥＭＳ５０は、減少する台数が「２台」である場合、「１台」を停止させる蓄電池の台数Ａとする。ＥＭＳ５０は、ステップＳ２５０の処理が終了すると、ステップＳ２６０へ移行する。
【００９９】
ステップＳ２６０において、ＥＭＳ５０は、Ａ台の蓄電池を停止状態に切り替える。このとき、ＥＭＳ５０は、稼動している蓄電池のうち、放電優先順位の低い蓄電池をＡ台停止状態に切り替える。ＥＭＳ５０は、ステップＳ２６０の処理が終了すると、第二切替処理を終了する。
【０１００】
以上のような第二切替処理によれば、直近の実測値を用いて次の時間帯（１時間後）の消費電力量及び発電量を予測することができる。これにより、第一切替処理（ステップＳ１２０）よりも正確に、次の時間帯の消費電力量及び発電量を予測することができる（ステップＳ２１０）。また、当該消費電力量及び発電量を用いて、次の時間帯の各蓄電池２２・３２・４２の動作を正確にシミュレーションすることができる（ステップＳ２２０）。また、当該シミュレーション結果に応じて各蓄電池２２・３２・４２の動作モードを切り替えることで（ステップＳ２３０・Ｓ２６０）、次の時間帯に稼動させる蓄電池２２・３２・４２の台数を、直近の実測値（現在の状態）に応じて最適な台数にすることができる。
【０１０１】
このような第二切替処理によれば、第一切替処理における予測（ステップＳ１２０）が外れた場合でも、各蓄電池２２・３２・４２を適切に稼動又は停止することができる。
【０１０２】
例えば、第一切替処理において、消費電力量が少ないと予測した時間帯に、予測に反して消費電力量が多くなってしまった場合、停止状態になっている蓄電池を動作させなければ、各蓄電池２２・３２・４２で各住宅Ｈの消費電力を賄えず、系統電源Ｓからの買電量が増加してしまう場合がある。
【０１０３】
このような場合でも、ＥＭＳ５０は、第二切替処理を実行することで、実測値に基づいて消費電力量を予測して（ステップＳ２１０）、次の時間帯に稼動する蓄電池の台数を増やすことができる（ステップＳ２２０：ＹＥＳ、ステップＳ２３０）。これにより、第一切替処理の予測が外れて、各蓄電池２２・３２・４２を必要以上に停止状態にしてしまった場合でも、次の時間帯に稼動する蓄電池の台数を最適な台数にすることができる。これによって、買電量が増加するのを抑制することができる。
【０１０４】
また、例えば、第一切替処理において、発電量が少ないと予測した時間帯に、予測に反して発電量が多かった場合、稼動している蓄電池の台数を減らしても、特に問題がない（残りの蓄電池で各住宅Ｈの消費電力を賄える）場合がある。
【０１０５】
このような場合でも、ＥＭＳ５０は、第二切替処理を実行することで、実測値に基づいて発電量を予測して（ステップＳ２１０）、次の時間帯に稼動する蓄電池の台数を減らすことができる（ステップＳ２２０：ＮＯ、ステップＳ２４０：ＹＥＳ、ステップＳ２５０、ステップＳ２６０）。これにより、第一切替処理の予測が外れて、停止状態にしても問題のない蓄電池を稼動させてしまった場合でも、次の時間帯に当該蓄電池を停止状態にして待機電力を抑制することができる。
【０１０６】
また、ＥＭＳ５０は、第二切替処理において、停止可能な台数分だけ蓄電池を停止状態にするのではなく、停止可能な台数よりも１台少ない台数Ａだけ蓄電池を停止状態にしている（ステップＳ２５０・Ｓ２６０）。これによれば、各住宅Ｈの消費電力に対して、放電可能な蓄電池の台数に余裕を持たせることができる。これによって、負荷が急変した場合、具体的には、各住宅Ｈの消費電力が急に増大したり、各太陽光発電部２１・３１・４１の発電電力が急に減少した場合でも、放電させる（待機モードから放電モードにする）蓄電池の台数を増やして、負荷の急変に対応することができる。
【０１０７】
以上の如く、第一実施形態に係る電力供給システム１は、各住宅Ｈ（負荷）と接続される複数の蓄電池２２・３２・４２と、前記複数の蓄電池２２・３２・４２を、充放電を行っている状態と待機電力を用いて充放電の待機を行っている状態とを含む稼動状態、又は、充放電を行っておらず、かつ待機電力を用いず充放電の待機を行っていない停止状態に切り替えるＥＭＳ５０（切替手段）と、を具備し、前記ＥＭＳ５０は、各住宅Ｈの消費電力を含む電力情報を予測し、当該予測結果に応じて前記複数の蓄電池２２・３２・４２を前記稼動状態に切り替えた場合における、当該複数の蓄電池２２・３２・４２の動作をシミュレーションし、当該シミュレーション結果に基づいて、前記蓄電池２２・３２・４２を前記停止状態に切り替えるものである。
【０１０８】
このように構成することにより、シミュレーション結果に応じて蓄電池２２・３２・４２を適宜停止状態にすることができる。これにより、蓄電池２２・３２・４２のうち、一部の蓄電池で各住宅Ｈの消費電力を賄いながら、残りの蓄電池を停止状態にして待機電力を抑制することが可能となる。これによって、電力を有効に活用することができる。
【０１０９】
また、前記ＥＭＳ５０は、所定期間（１日）を複数の時間帯に分けて前記電力情報の予測（ステップＳ１２０）及び前記複数の蓄電池２２・３２・４２の動作のシミュレーション（ステップＳ１３０）を行い、当該シミュレーション結果に基づいて前記蓄電池２２・３２・４２の状態を切り替える（ステップＳ１５０）第一切替処理を行うものである。
【０１１０】
このように構成することにより、各蓄電池２２・３２・４２が充電する時間帯（充電時間帯）と、放電する時間帯（放電時間帯）と、に分けてシミュレーションを行うことが可能となる。これによって、各蓄電池２２・３２・４２のシミュレーションを細かく行うことができる。
【０１１１】
また、前記ＥＭＳ５０は、前記第一切替処理において、前記シミュレーション結果から放電しないと判断した前記蓄電池２２・３２・４２を前記停止状態に切り替える（ステップＳ１５０）ものである。
【０１１２】
このように構成することにより、放電しないと判断した蓄電池２２・３２・４２を全て停止状態にして、待機電力を効果的に抑制することができる。
【０１１３】
また、前記ＥＭＳ５０は、前記所定期間に測定された前記電力情報の実測値を用いて、現在の時刻を基準とした次の時間帯における前記電力情報の予測（ステップＳ２１０）及び前記複数の蓄電池２２・３２・４２の動作のシミュレーション（ステップＳ２２０）を行い、当該シミュレーション結果に基づいて前記蓄電池２２・３２・４２の状態を切り替える（ステップＳ２３０：ＹＥＳ、ステップＳ２６０）第二切替処理をさらに行うものである。
【０１１４】
このように構成することにより、次の時間帯に停止させる蓄電池２２・３２・４２の台数を、直近の実測値（現在の状態）に応じて最適な台数にすることができる。これによって、電力をより有効に活用することができる。
【０１１５】
また、前記ＥＭＳ５０は、前記第二切替処理において、前記シミュレーション結果から放電しないと判断した前記蓄電池２２・３２・４２の台数よりも少ない台数の前記蓄電池２２・３２・４２を、前記停止状態に切り替える（ステップＳ２５０・Ｓ２６０）ものである。
【０１１６】
このように構成することにより、各住宅Ｈの消費電力に対して放電可能な蓄電池の台数に余裕を持たせることができるため、負荷の急変に対応することができる。
【０１１７】
また、前記ＥＭＳ５０は、前記蓄電池２２・３２・４２が満充電になってから、当該蓄電池２２・３２・４２を前記停止状態に切り替える（ステップＳ１５０）ものである。
【０１１８】
このように構成することにより、蓄電池２２・３２・４２に、放電を行う際に十分な量の電力を確保することができる。
【０１１９】
また、自然エネルギーを利用して発電可能な太陽光発電部２１・３１・４１（発電部）をさらに具備し、前記電力情報には、前記太陽光発電部２１・３１・４１の発電電力が含まれるものである。
【０１２０】
このように構成することにより、太陽光発電部２１・３１・４１を具備する構成において、電力を有効に活用することができる。
【０１２１】
なお、第一実施形態に係るＥＭＳ５０は、本発明に係る切替手段の実施の一形態である。
また、第一実施形態に係る太陽光発電部２１・３１・４１は、本発明に係る発電部の実施の一形態である。
【０１２２】
次に、第二実施形態に係る電力供給システムについて説明する。
【０１２３】
第二実施形態に係る電力供給システムは、蓄電池２２・３２・４２の充電が、系統電源Ｓからの深夜電力を用いて行われるのではなく、各太陽光発電部２１・３１・４１からの電力を用いて行われる点で、第一実施形態に係る電力供給システム１と相違する。すなわち、第二実施形態に係る蓄電池２２・３２・４２は、上述の如き深夜電力の時間帯ではなく、各太陽光発電部２１・３１・４１が発電を行う昼間時間帯に充電を行う。これに伴って、第二実施形態に係る電力供給システムは、第一切替処理の内容が、第一実施形態とは異なるものとなっている。このため、以下では、図７を用いて第一切替処理の内容について説明する。
【０１２４】
まず、ステップＳ３１０において、ＥＭＳ５０は、第一実施形態（ステップＳ１１０）と同様に、全ての蓄電池２２・３２・４２の電源をオンにする。ＥＭＳ５０は、ステップＳ３１０の処理が終了すると、ステップＳ３２０へ移行する。
【０１２５】
ステップＳ３２０において、ＥＭＳ５０は、第一実施形態（ステップＳ１２０）と同様に、住宅街区Ｔ全体の翌日（１日）の消費電力量及び発電量を予測する。ＥＭＳ５０は、ステップＳ３２０の処理が終了すると、ステップＳ３３０へ移行する。
【０１２６】
ステップＳ３３０において、ＥＭＳ５０は、各蓄電池２２・３２・４２の翌日（１日）の運転動作をシミュレーションする。このとき、ＥＭＳ５０は、各太陽光発電部２１・３１・４１からの電力を充電することを考慮して、シミュレーションする。ＥＭＳ５０は、ステップＳ３３０の処理が終了すると、ステップＳ３４０へ移行する。
【０１２７】
ステップＳ３４０において、ＥＭＳ５０は、第一実施形態（ステップＳ１４０）と同様に、全ての蓄電池２２・３２・４２が翌日に動作（放電）するのかを確認する。ＥＭＳ５０は、全ての蓄電池２２・３２・４２が翌日に放電する場合（ステップＳ３４０：ＹＥＳ）、第一切替処理を終了する。一方、ＥＭＳ５０は、各蓄電池２２・３２・４２のうち、少なくとも１台の蓄電池が放電しない場合（ステップＳ３４０：ＮＯ）、ステップＳ３５０へ移行する。
【０１２８】
ステップＳ３５０において、ＥＭＳ５０は、翌日に動作しない蓄電池が充電可能であるか否かを判断する。仮に、翌日に動作しない蓄電池が複数台ある場合、ＥＭＳ５０は、複数台の蓄電池のうち、少なくとも１台の蓄電池が充電可能である場合に、蓄電池が充電可能であると判断する（ステップＳ３５０：ＹＥＳ）。この場合、ＥＭＳ５０は、ステップＳ３７０へ移行する。一方、ＥＭＳ５０は、蓄電池（複数台ある場合、全ての蓄電池）が充電不能である場合（ステップＳ３５０：ＮＯ）、ステップＳ３６０へ移行する。
【０１２９】
ステップＳ３６０において、ＥＭＳ５０は、放電しないと判断した台数の蓄電池を停止状態とする。ＥＭＳ５０は、ステップＳ３６０の処理が終了すると、第一切替処理を終了する。
【０１３０】
ステップＳ３７０において、ＥＭＳ５０は、動作しない蓄電池を満充電になるまで充電させる。仮に、翌日に動作しない蓄電池が複数台あり、そのうちの一部の蓄電池がステップＳ３７０に移行した時点で既に満充電である場合、ＥＭＳ５０は、ステップＳ３７０において、満充電の蓄電池を停止状態にする。ＥＭＳ５０は、ステップＳ３６０の処理が終了すると、ステップＳ３８０へ移行する。
【０１３１】
ステップＳ３８０において、ＥＭＳ５０は、ステップＳ３７０で満充電になった蓄電池を停止状態に切り替える。ＥＭＳ５０は、ステップＳ３８０の処理が終了すると、第一切替処理を終了する。
【０１３２】
以下では、図８及び図９を用いて、第二実施形態に係る第一切替処理において、停止状態とする蓄電池として、放電優先順位が第３位であった蓄電池４２が設定された場合の電力の供給態様の一例について説明する。
【０１３３】
なお、図８及び図９において、消費電力量とは、第一住宅Ｈ１、第二住宅Ｈ２及び第三住宅Ｈ３へと供給された合計の電力量を指している。また、蓄電池２２・３２・４２の電力量は、「７時」から「１０時」までの時間帯においては充電量、その他の時間帯においては放電量を指している。
【０１３４】
なお、以下では、各蓄電池２２・３２・４２が当日の２４時の時点（第一切替処理の実行時）において、放電しきった状態（残量が最大容量の３０％程度）となっているものとする。また、深夜電力の時間帯が終了した後に、ＥＭＳ５０は、各蓄電池２２・３２・４２に対して、それぞれ対応するセンサ部１０の検出結果に応じてモードを切り替えて実行するように指示したものとする。
【０１３５】
まずＥＭＳ５０により各蓄電池２２・３２・４２の電源がオンにされた後（図７のステップＳ３１０参照）、「０時」から「６時」までの時間帯は、深夜電力の時間帯であり、かつ消費電力量が発電量を上回っているため、系統電源Ｓからの電力が各住宅Ｈへ供給される。
【０１３６】
また、「７時」からの時間帯において、発電量が消費電力量を上回っている。すなわち、消費電力に対して発電電力が余剰する。この場合、発電電力（余剰した電力）を用いて蓄電池の充電が行われる。図８に示す一例においては、「１０時」の時間帯までに、発電電力を用いて各蓄電池２２・３２・４２が満充電とされる。そして、蓄電池２２・３２・４２のうち、蓄電池４２は満充電となると、停止状態に切り替えらえる。
【０１３７】
なお、「７時」から「１６時」までの時間帯において、発電量が消費電力量を上回っている。この場合、消費電力の全ては発電電力で賄われる。
【０１３８】
また、「１７時」から「２２時」までの時間帯において、発電量が消費電力量を下回っている。この場合、消費電力に対して発電電力で不足する分は、蓄電池からの電力で賄われる。なお、図９に示す一例においては、シミュレーション結果のとおりであり、消費電力に対して発電電力で不足する分は、２台の蓄電池（蓄電池２２・３２）からの電力で賄われている。すなわち、消費電力に対して、残りの１台の蓄電池４２が放電する機会はない。
【０１３９】
また、「２３時」の時間帯においては、深夜電力の時間帯であり、また消費電力量が発電量を上回っているため、系統電源Ｓからの電力が各住宅Ｈへ供給される。
【０１４０】
このように、第二実施形態に係る電力供給システムによれば、各太陽光発電部２１・３１・４１からの電力を各蓄電池２２・３２・４２に充電しながらも、動作（放電）しない蓄電池４２を停止状態に切り替えることができる。これによって、待機電力及び系統電源Ｓからの買電量を減らすことができるため、電力を有効に活用することができる。
【０１４１】
以上、本発明の実施形態を説明したが、本発明は上記構成に限定されるものではなく、特許請求の範囲に記載された発明の範囲内で種々の変更が可能である。
【０１４２】
例えば、電力供給システム１は、住宅街区Ｔに適用されるものとしたが、電力供給システム１の適用対象はこれに限定されるものではなく、例えば、集合住宅やオフィス等であってもよい。また、住宅街区Ｔにおいては、電力小売事業者が電力会社から電力を一括購入し、当該購入した電力が各住宅Ｈに適宜供給されるものとしたが、電力会社と各住宅Ｈとの間に電力小売事業者が介在しなくともよい。
【０１４３】
また、各住宅Ｈの戸数は、３戸であるものとしたが、これに限定されるものではなく、任意の戸数とすることができる。
【０１４４】
また、蓄電池２２・３２・４２の台数は、３台であるものとしたが、これに限定されるものではなく、２台以上の任意の台数とすることができる。また、本実施形態において太陽光発電部２１・３１・４１の台数は、３台であるものとしたが、これに限定されるものではなく、任意の台数とすることができる。
【０１４５】
また、発電部は、太陽光を利用して発電する太陽光発電部２１・３１・４１であるものとしたが、自然エネルギー（例えば、水力や風力）を利用して発電するものであれば、これに限定されるものではない。
【０１４６】
また、電力供給システム１は、各住宅Ｈへ電力を供給する機器として、少なくとも蓄電池２２・３２・４２を具備していればよく、必ずしも太陽光発電部２１・３１・４１を具備する必要はない。
【０１４７】
また、ＥＭＳ５０は、第一切替処理において、翌日（１日）の消費電力量及び発電量を予測したが（ステップＳ１２０・Ｓ３２０）、予測する期間は１日に限定されるものではなく、任意の期間とすることができる。例えば、ＥＭＳ５０は、半日の消費電力量及び発電量を予測してもよい。この場合、ＥＭＳ５０は、半日の各蓄電池２２・３２・４２の動作をシミュレーションする。また、この場合、ＥＭＳ５０は、第一切替処理を半日毎に実行する。
【０１４８】
また、ＥＭＳ５０は、第一切替処理において、必ずしも満充電になってから蓄電池を停止状態にする必要はなく、残量が所定量（例えば、最大容量の８０％）となったら停止状態にしてもよい。また、ＥＭＳ５０は、充電することなく、蓄電池を停止状態にしてもよい。
【０１４９】
また、ＥＭＳ５０は、第一切替処理において、動作しない蓄電池を全て停止状態にするものとしたが（ステップＳ１５０）、これに限定されるものではなく、動作しない蓄電池の台数よりも少ない台数の蓄電池を停止状態にしてもよい。これにより、各住宅Ｈの消費電力に対して、放電可能な蓄電池の台数に余裕を持たせることができる。これによって、負荷が急変した場合でも、放電させる（待機モードから放電モードにする）蓄電池の台数を増やして、負荷の急変に対応することができる。
【０１５０】
また、ＥＭＳ５０は、１時間毎に第二切替処理を行うものとしたが、第二切替処理を行う間隔は１時間に限定されるものではなく、任意の間隔とすることができる。例えば、ＥＭＳ５０は、３０分毎に第二切替処理を行ってもよい。この場合、ＥＭＳ５０は、３０分後の消費電力量及び発電量を予測すると共に、３０分後の蓄電池２２・３２・４２の動作をシミュレーションする。
【０１５１】
また、ＥＭＳ５０は、必ずしも第二切替処理を決まった間隔で実行する必要はない。ＥＭＳ５０は、例えば、第一切替処理（ステップＳ１２０）で予測した消費電力量及び発電量と、消費電力量及び発電量の実測値と、を比較して、その比較結果のずれが所定の閾値を超えた場合にのみ、第二切替処理を実行してもよい。このように構成することで、予測が外れたと考えられる場合にのみ第二切替処理を実行させることができる。これによって、必要な場合にのみ第二切替処理を実行させるようにして、ＥＭＳ５０の負荷を低減することができる。
【０１５２】
また、ＥＭＳ５０は、第二切替処理（ステップＳ２１０）において、１時間後の消費電力量及び発電量を予測したが、第二切替処理において予測する期間は、これに限定されるものではなく、任意の期間とすることができる。ＥＭＳ５０は、例えば、第二切替処理を実行した日の２４時までの消費電力量及び発電量を予測してもよい。また、ＥＭＳ５０は、第二切替処理において、複数の時間帯に分けて消費電力量及び発電量を予測してもよい。
【０１５３】
また、ＥＭＳ５０は、第二切替処理において、動作しない蓄電池の台数よりも１台少ない台数（台数Ａ）だけ、蓄電池を停止状態にするものとしたが（ステップＳ２６０）、これに限定されるものではなく、任意に設定することができる。例えば、ＥＭＳ５０は、動作しない蓄電池の台数だけ、停止状態にしてもよい。また、ＥＭＳ５０は、動作しない蓄電池の台数よりも２台以上少ない台数の蓄電池を停止状態にしてもよい。
【０１５４】
また、ＥＭＳ５０は、第一切替処理及び第二切替処理（ステップＳ１３０・Ｓ２２０・Ｓ３３０）でシミュレーションした結果、放電量が少ない（放電量が所定値以下の）蓄電池がある場合に、当該蓄電池を停止状態に切り替えてもよい。このように構成することで、放電電力が少ない（放電効率が悪い）状態で蓄電池が放電するのを抑制することができると共に、当該蓄電池の待機電力を抑制することができる。
【０１５５】
また、ＥＭＳ５０は、必ずしも第一切替処理及び第二切替処理を両方とも行う必要はなく、いずれか一方の処理のみを行ってもよい。
【０１５６】
また、電力供給システムにおいては、ＥＭＳ５０が各蓄電池２２・３２・４２の動作モードを切り替えるものとしたが、動作モードを切り替える機器はこれに限定されるものではなく、例えば、各ハイブリッドパワコン２３・３３・４３等であってもよい。また、各蓄電池２２・３２・４２の稼動状態及び停止状態を切り替える機器についても、ＥＭＳ５０に限定されるものではなく、他の機器（例えば、各ハイブリッドパワコン２３・３３・４３等）であってもよい。
【符号の説明】
【０１５７】
１                電力供給システム
２２・３２・４２  蓄電池
５０              ＥＭＳ（切替手段）
Ｈ                各住宅（負荷）
【図１】
2020108235.tif 000003
【図２】
2020108235.tif 000004
【図３】
2020108235.tif 000005
【図４】
2020108235.tif 000006
【図５】
2020108235.tif 000007
【図６】
2020108235.tif 000008
【図７】
2020108235.tif 000009
【図８】
2020108235.tif 000010
【図９】
2020108235.tif 000011